(57)【要約】  美容用のピンセットは、２つの分岐部分３を有し、小さな物体をつかむための、金属製の末端部２を備える。分岐部３の最大幅はどちらも、上述のピンセットを操作するときに通常の体格の成人使用者の親指の支え面の平均幅の１／２よりも大きく、分岐部３の最大長さはどちらも、通常の体格の成人の親指の平均長さよりも短い。このことにより、器用さが低下した人であっても、２本の指の間に本発明のピンセットを容易に保持し、閉じることができる。さらに、分岐部３の幅が前記幅であることにより、使用者の指の間で分岐部が滑るのが防げ、および／または強くまたは斜めにピンセットを閉じるときに、ピンセットが不本意に回るのが防止される。【特許請求の範囲】
【請求項１】
小さな物体をつかむ金属製の末端部（２）を備えた２つの分岐部（３）を有する美容用のピンセットにおいて、前記分岐部（３）各々の最大幅が、前記ピンセットを操作する際に通常の体格の成人使用者の親指支え面の平均幅の１／２よりも大きく、および前記分岐部（３）各々の最大長さが、通常の体格の成人の親指の平均長さよりも短いことを特徴とするピンセット。
【請求項２】
前記２つの分岐部（３）と前記末端部（２）とを備える金属製フレーム構造体（１）を有する、請求項１に記載のピンセット。
【請求項３】
前記２つの分岐部（３）の最大幅が、前記ピンセットを操作する際に通常の体格の成人使用者の親指支え面の平均幅の２／３よりも大きい、請求項１または２に記載のピンセット。
【請求項４】
前記２つの分岐部（３）の最大幅が、前記ピンセットを操作する際に通常の体格の成人使用者の親指支え面の平均幅よりも大きい、請求項１〜３のいずれか１項に記載のピンセット。
【請求項５】
前記２つの分岐部（３）の最大幅が、前記２つの分岐部（３）の最大長さの１／４よりも大きい、請求項１〜４のいずれか１項に記載のピンセット。
【請求項６】
前記２つの分岐部（３）の最大幅が、前記２つの分岐部（３）の最大長さの１／２よりも大きい、請求項１〜５のいずれか１項に記載のピンセット。
【請求項７】
前記２つの分岐部（３）の一方の外のり寸法が、ほぼ正方形のものである、請求項１〜６のいずれか１項に記載のピンセット。
【請求項８】
前記末端部（２）の最大幅が、前記２つの分岐部（３）の最大幅の１／３より小さい、請求項１〜７のいずれか１項に記載のピンセット。
【請求項９】
前記末端部（２）の最大幅が、前記２つの分岐部（３）の最大幅の１／５より小さい、請求項１〜８のいずれか１項に記載のピンセット。
【請求項１０】
前記２つの分岐部（３）の一方が、それを前記２つの分岐部（３）の他方へ接続する少なくとも１つの弾性ブレード（３０）を有する、請求項１〜９のいずれか１項に記載のピンセット。
【請求項１１】
前記少なくとも１つの弾性ブレード（３０）が、前記少なくとも１つの弾性ブレード（３０）のたわみ性を定めることができる窪みを有する、請求項１〜１０のいずれか１項に記載のピンセット。
【請求項１２】
前記２つの分岐部（３）のそれぞれが、２つの弾性ブレード（３０）を有する、請求項１０または１１に記載のピンセット。
【請求項１３】
前記２つの分岐部（３）の前記少なくとも１つの弾性ブレード（３０）が、剛性の接続ゾーン（３２）を介して互いに接続される、請求項１０〜１２のいずれか１項に記載のピンセット。
【請求項１４】
前記接続ゾーン（３２）が、前記２つの分岐部（３）間の一定距離を定める、請求項１〜１３のいずれか１項に記載のピンセット。
【請求項１５】
前記距離が、前記ピンセットが休止位置で開放されているとき、前記２つの分岐部（３）がほぼ平行となるように定められる、請求項１〜１４のいずれか１項に記載のピンセット。
【請求項１６】
前記接続ゾーン（３２）が、前記弾性ブレード（３０）の延長部分に形成され、前記接続ゾーン（３２）の幅が、前記弾性ブレード（３０）の幅よりも大きい、請求項１３〜１５のいずれか１項に記載のピンセット。
【請求項１７】
前記２つの分岐部（３）を備え、かつ金属プレートを放電加工して形成されるフレーム構造体（１）を有する、請求項１〜１６のいずれか１項に記載のピンセット。
【請求項１８】
前記フレーム構造体（１）を折曲げることにより形成される、請求項１〜１７のいずれか１項に記載のピンセット。
【請求項１９】
前記２つの分岐部（３）の少なくとも１つが、追加装飾部材（９）を固定する固定部材（３７、３８、３９）を備える、請求項１〜１８のいずれか１項に記載のピンセット。
【請求項２０】
前記追加装飾部材が、前記２つの分岐部（３）の少なくとも１つの外面を少なくとも部分的に覆うカバー（９）である、請求項１〜１９のいずれか１項に記載のピンセット。
【請求項２１】
前記追加部材（９）が、前記２つの分岐部（３）の少なくとも１つの外面よりも大きな支え面を有する、請求項１９または２０に記載のピンセット。
【請求項２２】
前記追加部材（９）が、成形または射出された合成物質である、請求項１９〜２１のいずれか１項に記載のピンセット。
【請求項２３】
前記末端部（２）が、前記２つの分岐部（３）に対して中心から外れている、請求項１〜２２のいずれか１項に記載のピンセット。
【請求項２４】
前記末端部（２）が、前記２つの分岐部（３）に対して軸線から外れている、請求項１〜２３のいずれか１項に記載のピンセット。
【発明の詳細な説明】
【技術分野】
【０００１】
本発明は美容用はさみに関する。本発明は、具体的には美容用ピンセットに関する。
【背景技術】
【０００２】
ピンセットは、１つのほぼ平坦な末端部の形状をもつ小形のはさみであり、その末端部は、バネのように作動する２つの分岐部中に延びていて、非常に小さい物体を捕らえることができ、高精度な作業を実施することができる。ピンセットには、美容用に設計されるものもある。それらのピンセットは、一般に脱毛に使用され、サイズが小さいことにより、具体的には毛を精確にとらえて引き抜くことができる。
【０００３】
従来技術のピンセット、特に美容用ピンセットは、一般に細く長い。従って、その分岐部は、狭く、かつ細長い。しかし、この一般に受入れられている形には、幾つか欠点がある。実際には、従来技術のピンセットの取扱いは、例えば老人のように器用さが低下した人にとっては特に、厄介であることがわかっている。また従来技術のピンセットは、例えば分岐部を強くまたは斜めに押し過ぎると、使用者の指間で不本意に回る傾向もある。
【０００４】
ピンセットは、細長くかつほぼ狭い分岐部を有しており、その分岐部はピンセットを操作するためのより大きい支え面を形成するために、限定された部分において拡大されることが従来技術において知られている。しかしながら、このような構造には、分岐部の縦方向軸の両側またはその軸周りに延びる支え面が、少なからぬテコ作用のブレード（lever blade）を形成するので、その末端部の１つの近くに力を加えたときに、そのブレードにかなりのトルクが生じるという欠点がある。その結果、使用者が、ピンセットを操作するときに中心から外れて押すと、あご部を閉じるときに、あご部間の整合が不良となるか、または特に、２つの分岐部間の連結が、それほど精確でなく、および／または強固である場合、ピンセットを復元できないほどに損傷することさえあり、かなりのリスクがある。
【発明の開示】
【発明が解決しようとする課題】
【０００５】
本発明の目的は、従来技術の美容用ピンセットの欠点がない美容用ピンセットを提案することである。
【課題を解決するための手段】
【０００６】
この目的は、独立クレームの特徴を有する美容用ピンセットにより達成され、従属クレームによって、好都合な変形態様の実施例がさらに示される。
【０００７】
この目的は、小さな物をつかむための金属製の末端部を備えた２つの分岐部を有する美容用のピンセットにより達成され、分岐部３の最大幅はどちらも、上述のピンセットを操作するときに通常の体格の成人使用者の親指支え面の平均幅の１／２よりも大きく、分岐部３の最大長さはどちらも、通常の体格の成人の親指の平均長さよりも短い。このことにより、器用さが低下した人であっても、２本の指の間に本発明のピンセットを容易に保持し、閉じることができる。さらに、分岐部３の幅が前記幅であることにより、使用者の指の間で分岐部が滑るのが防げ、および／または強くまたは斜めにピンセットを閉じるときに、ピンセットが不本意に回るのが防止される。
【発明を実施するための最良の形態】
【０００８】
本発明は、図１〜６により図示される好ましい実施例の説明に基づいて一層良く理解されるだろう。
【０００９】
図１〜３に示される好ましい実施例によれば、本発明のピンセットは、好ましくは狭く、かつ例えば、平坦な末端部２を１つ有する、金属製フレーム構造体１を備えるのが好ましく、これにより小さな物体を精確に捕らえることができる。当業者は、末端部２の形状は、ピンセットの意図された用途に適合しているのが好ましいことを理解するだろう。末端部は、たとえば、尖らせたり、曲げたりなどしてもよい。好ましい実施例によれば、本発明のピンセットは美容用に設計される。従って末端部２は、この種の用途、具体的には人の毛を捕らえて引き抜くのに適合しているのが好ましい。
【００１０】
末端部分２は、急に大きくなり、末端部２と比較して相対的に広い２つの分岐部３中に延びる。本発明によれば、分岐部３の最大幅は、ピンセットの操作時に通常の体格の成人使用者の親指支え面の、平均幅の少なくとも１／２に例えば等しく、２／３に等しいのが好ましい。これにより、フレーム構造体１に、縦方向軸に沿って屈曲とねじれに対する剛性を与え、ひいては、最高に快適で精確な使用を提供する。さらに、より好ましい実施例によれば、ピンセットの操作時に分岐部３の最大幅は、通常の体格の成人の親指の平均支え面に、少なくとも等しい。一方、分岐部３の最大長さは、通常の体格の成人の親指の平均長さよりも短いのが好ましい。
【００１１】
本発明のピンセットを開発中に行われたサンプリングに基づくと、性別に関係なく、親指の平均長さがほぼ５５ｍｍである場合、ピンセットを操作するときの通常の体格の成人の親指支え面の平均幅は、約２０ｍｍであると算定された。従って、分岐部３の最大幅は、２０ｍｍより大きいことが好ましい一方、その最大長さは、５５ｍｍより短いことが好ましい。好ましい実施例によれば、分岐部３の最大幅は、その最大長さの１／２に少なくとも等しく、図示される例においては、その分岐部の長さの少なくとも１／２にわたり末端部２から大きくなり、ついで２つの分岐部３を接続する接続ゾーン３２まで、その最大幅を維持し、ついで他方の末端部まで至る。分岐部３の最も広い部分の外のり寸法は、このように長さの１／２を通して延びているため、ほぼ正方形のものである。
【００１２】
他方では、たとえば人の毛などのような非常に小さい物体を容易に捕らえて分離できるように、末端部２は、従来技術のものと同じく狭いことが好ましい。従って、末端部２の最大幅は、分岐部３の最大幅の１／３よりも小さいことが好ましい。さらにより好ましい実施例によれば、末端部２の最大幅は、分岐部３の最大幅の１／５よりも小さいことが好ましい。
【００１３】
分岐部３は、分岐部３の最も広い部分に形成されるのが好ましい弾性ブレード３０を介して互いに接続され、ピンセット１の閉止に抗してバネのように作動する。それぞれの分岐部３が２つのブレード３０を有するのが好ましく、ブレード３０各々は、他方の分岐部３の対応するブレード３０まで延びる。ピンセット１を開放状態に保つバネ作用は、ブレード３０自体のたわみ性により、本質的に確保されるのが好ましい。
【００１４】
ブレード３０のたわみ性は、例えば、それぞれのブレード３０上に窪み３１を切取り、ブレードの厚さを局部的に減少することにより、決定され、調節される。窪み３１により、特にそのサイズと対称性を選択することによって、それぞれのブレード３０のたわみ性の程度と、ピンセット１が使用されるとき屈曲の大部分が生じる区域と方向とを精確に決めることができる。窪み３１は、ピンセットが閉止されるときに分岐部３間に形成される角度を極限まで減少して、使用者が分岐部３に加える力を末端部２上へ確実に最適に伝達するために、末端部２からできるだけ離して位置決めされるのが好ましい。
【００１５】
分岐部分３各々のブレード３０は、接続ゾーン３２を介して他方の分岐部分３の対応するブレード３０へ接続されるのが好ましく、その接続ゾーンは、分岐部３上に加えられる押圧力が非常に大きい場合でも、ピンセット１が操作される際ほとんど変形しない。接続ゾーン３２は、例えば、ブレード３０と同一の物質のものであるが、ゾーン３２はブレード３０よりもかなり大きいので、剛性はかなり高い。接続ゾーン３２がこのような剛性を持つことにより、分岐部３間の横方向偏りを避けて、ピンセットの末端部２が適正に閉じることが特に保証される。
【００１６】
本発明の好ましい実施例によれば、接続ゾーン３２は、分岐部３間の一定の距離を決める。すなわち、本発明のピンセットが休止位置で開放されているとき、分岐部３間の角度幅は比較的小さいか、あるいは分岐部３はほぼ平行である。従って、末端部２が開放されているときの分岐部３間の角度幅が小さいことにより、本発明のピンセットに、分岐部３が比較的短いにもかかわらず、改善された美的外観と使用の最適の快適さとを付与する。
【００１７】
同一分岐部３の２つのブレード３０は、できるだけ互いに離れるように、分岐部３の各側に位置決めされるのが好ましい。この配置により、ピンセット１を操作するときの平坦な末端部２が閉じる精確さを、最適に調節できる。実際、分岐部３を互いに接続するブレード３０に一定距離があることにより、閉止中に分岐部が互いに対し横方向に偏るのが防止される。
【００１８】
本発明のピンセットを考えると、例えば、ピンセットを特定の用途に適応するように、および／または所定の抵抗をもつように、それぞれの分岐部３のブレード３０の数を選択できることは、当業者にとって明らかである。従って、本発明のピンセット１の分岐部分３は、たとえば、美的外観および／または取扱いの快適さの希望に応じて、１つ、２つ、３つまたはそれ以上の弾性ブレードを備えていてよい。
【００１９】
本発明のピンセットのフレーム構造体１は、放電加工し、ついで金属製プレートを折曲げて形成されるのが好ましい。このようにして２つの分岐部３は、対称的な形に切取られ、接続ゾーン３２を介して互いに接続される。フレーム構造体は、一旦切取られると、接続ゾーン３２の周りに折曲げられる。この折曲げは、分岐部３の精確な整合および分岐部間に必要な距離とを確保するために、最大限精確に実施される。
【００２０】
しかしながら、当業者は、本発明の範囲内で他の実施例も可能であることを理解するだろう。ある変形態様実施例によれば、例えば分岐部３はそれぞれ個別に製造され、直接、あるいは接続部材を介し、ブレード３０の末端部によりもう一方の分岐部３へ固定される。その固定は、たとえば、溶接、接着などにより実施される。しかしながら、そのような実施例は、一層コストがかかり、一層壊れやすく、かつ一般に精確さが低いという欠点を有する。
【００２１】
本発明のピンセットは、その使用中には、２つの分岐部３を介して、たとえば、親指と同一の手の人差し指を使用して使用者により保持されるのが好ましい。従来技術のピンセットと対照的に、本発明のピンセットは、より小さい分岐部に対して人差し指を湾曲させながら、親指を上方に向けて保持するのが好ましい。ピンセットをこのように保持することにより、通常指先で操作される従来技術のピンセットの場合よりも、使用者は、末端部２にかなり大きい力を加えることができる。
【００２２】
使用者は、分岐部３の外面、好ましくは窪み３１と平坦な末端部２との間に位置するゾーンに圧力を加える。ついで弾性ブレードは、窪み３１内で本質的に折れ曲がる一方、分岐部３の残りは、初めの形状を保ち、このことにより、例えば小さな物体を捕らえるために平坦な末端部２が閉じられる。使用者が分岐部３の外面上の圧力を解放すると、ピンセット１は、ブレード３０の力を受けて開き、ブレードがその初期位置へ戻される。
【００２３】
本発明の好ましい実施例によれば、末端部２は、分岐部３に対して中心から外れ、かつ分岐部の縦方向軸と異なる軸に沿って分岐部へ接続される。末端部２がこのように中心から外れ、また軸線から外れていることにより、本発明のピンセットの使用時に、フレーム構造体１の広い部分で使用者の可視性が低下するのを防止できる。またこの位置により、末端部２への最適なアクセスを確保しながら、フレーム構造体１の広い部分を、使用者の手のひらに適切に保持できる。しかしながら当業者は、末端部２の位置は他の位置でも可能であることを理解するだろう。末端部２は、具体的には分岐部３に対して中心におかれてもよく、および／または分岐部の縦方向軸に平行な軸に沿って分岐部分へ接続されてもよい。
【００２４】
分岐部３の幅が前記幅であることにより、ブレード３０のバネ力に抗してピンセットを操作するための、相当な支え面を使用者に提供できる。従って、器用さが低下した人であっても、２本の指の間に本発明のピンセットを容易に保持し、閉じることができる。さらに、分岐部（３）の幅が前記幅であることにより、使用者の指の間で分岐部が滑るのが防げ、および／または強くまたは斜めにピンセットを閉じるときに、ピンセットが不本意に回るのが防止される。
【００２５】
分岐部３の幅が前記幅であることにより、末端部２に対してのフレーム構造体１の安定性がさらに改善される。
【００２６】
さらに、フレーム構造体１が前記幅、特に分岐部３が大きい表面を持つことにより、そこに追加部材を容易に固定できるため、たとえば、分岐部３の支え面をさらに拡大して、フレーム構造体のものよりも好ましく、かつ滑りにくい接触面を提供でき、および／または本発明のピンセットに、例えば、美観的、人間工学的、および／または広告目的等の特定の外観を付与することができる。以下でさらに説明される変形態様実施例によれば、分岐部３上に固定される１または複数の追加部材により、本発明のピンセットに新規の機能性を付与できる。
【００２７】
本発明のピンセットの好ましい実施例によれば、分岐部３は、例えば、開口部３８、３９および／または切欠き３７等の固定部材を備えているため、分岐部３の固定部材と連携するように設計されている適切な固定部材を備える、成形または射出された合成物質からなる追加部材を、分岐部の上に、例えば着脱自在のクリップ留めまたはスナップ留めにより固定できる。
【００２８】
図４〜６は、たとえば、本発明の変形態様の実施例を図示する。分岐部３はそれぞれカバー９を備え、カバー９は分岐部３の外面へ固定されてほとんど完全に分岐部を覆う。この実施例によれば、カバー９は、このようにピンセットに特定の美的外観を付与する一方、操作の上で有用な支え面をさらに拡大する。それぞれのカバー９は固定部材９７、９９を備えるのが好ましく、この固定部材９７、９９は図４と６において部分的に目視でき、対応する分岐部３の開口部３９と切欠き３７と連携する。
【００２９】
図示される例において、カバー９は、ハート形状であり、これによって明らかな美観的外観が示される。しかしながら、当業者は、本発明の範囲内で他のカバーも考えられることを理解するだろう。本発明のピンセットに、使用の容易さ、および／または所望の美的外観を付与するために、カバーの形状および／または物質は、任意に変えることができる。カバーは、例えば右利きの人や左利きの人に適応する、特別な人間工学的支え面を提供できる。カバーは、宝石類と関連した装飾部材であってもよく、また高価な物質、セットストーンなどを備えていてもよい。カバーは、広告宣伝を含んでいてもよい。当業者はまた、フレーム構造体１に固定される追加部材は、必ずしもその外面全てを覆うわけではないことを理解するだろう。
【００３０】
本発明の他の変形態様実施例によれば、分岐部３へ固定される追加部材は、本発明のピンセット１に別の機能性を付与する。この実施例によれば、追加部材として、たとえば、時計や温度計、また例えば、分岐部３に圧力を加える際に末端部２を照らすランプなどがある。
【００３１】
追加部材は、特定の工具なしに、またはピンセット１を復元できないほどに損傷するリスクなしに、容易に取替えできるように、この追加部材、たとえばカバー９が、着脱自在に分岐部３へ固定されるのが好ましい。本発明によれば、このようにして、種々の追加部材を使用者へ幾つも提案でき、それぞれが、例えば、他の機能性、他の人間工学および／または異なる美的外観を提供する。このようにして使用者は、入手できる追加部材から自ら選択して固定することにより、本発明のピンセットを使用者の好み、および／または要求に適応させることができる。
【００３２】
本発明のピンセット１の利点の１つは、分岐部３が前記幅と、前記の短い長さを持つとすると、そのピンセットは、航空運輸の分野で施行される新基準によって危険物とみなされないことである。従ってそのピンセットは、旅行者が機内客室に携行でき、旅行中に使用できる。
【００３３】
さらに上述の本発明の好ましい実施例によれば、ピンセット１の２つの分岐部３は、平坦な末端部２よりもかなり幅広く、少なくとも通常の体格の成人使用者の親指と同じ位広いのが好ましい。本発明の変形態様の実施例によっては、一方の分岐部だけが、大きく、たとえば、別の部材を固定する固定部材を備える一方、他方の分岐部は、従来技術のピンセットと同様に狭く、かつ細長い。
【００３４】
さらに上述の本発明の好ましい実施例によれば、本発明のピンセットのフレーム構造体１は、金属製であり、また同一の素材の末端部２を備える。しかしながら、当業者は、本発明の範囲内で、たとえば、成形または射出された合成物質のような他の物質からなるフレーム構造体を考えることもでき、このようなフレーム構造体は、その合成フレーム構造体へ例えば取付けられる、たとえば、一対の金属製のチップが固定された金属製の末端部２を有する。
【図面の簡単な説明】
【００３５】
【図１】本発明の好ましい実施例によるピンセットの斜視図である。
【図２】図１のピンセットの平面図である。
【図３】図１のピンセットの側面図である。
【図４】分岐部に追加部材が固定されている、本発明の好ましい実施例によるピンセットの斜視図である。
【図５】図４のピンセットの平面図である。
【図６】図４のピンセットの側面図である。
【符号の説明】
【００３６】
１    ピンセット（フレーム構造体）
２    末端部
３    分岐部
３０  ブレード
３１  窪み
３２  接続ゾーン
３７  切欠き
３８  開口部
３９  開口部
【図１】
2007536039.tif 000002
【図２】
2007536039.tif 000003
【図３】
2007536039.tif 000004
【図４】
2007536039.tif 000005
【図５】
2007536039.tif 000006
【図６】
2007536039.tif 000007
【国際調査報告】
2007536039.tif 000008
2007536039.tif 000009
2007536039.tif 000010
2007536039.tif 000011